【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
第１サブドキュメントおよび第２サブドキュメントに分割されるソースドキュメントを、Ｎ組（Ｎは自然数）印刷する方法であって、
（ａ）Ｎ組の前記第１サブドキュメントを第１プリンタにより印刷し、
（ｂ）Ｎ組の前記第１サブドキュメントの印刷されたシートを、第２プリンタの用紙挿入機ユニット内に配置し、
（ｃ）Ｎ組の前記第２サブドキュメントを印刷するために、前記第２プリンタによる印刷プロセスを開始しつつ、既定の併合順序に従って、前記用紙挿入機ユニット内の前記第１サブドキュメントのシートを前記第２サブドキュメントの印刷されたシートに併合し、
（ｄ）印刷ステップ（ｃ）において、前記第２サブドキュメントのｎ番目（ｎは自然数で、ｎ≦Ｎ）の組の印刷中に中断が発生した場合、回復処理を実行し、
前記回復処理は、
（ｄ１）すでに印刷され併合されたｎ番目の組のシートを、第２プリンタから取り除き、
（ｄ２）ｎ番目の組の第１サブドキュメントの全ての残りのシートを、前記用紙挿入機ユニットから取り除き、
（ｄ３）第２サブドキュメントのＮ−ｎの組を印刷するために、前記第２プリンタによる印刷プロセスを開始しつつ、既定の併合順序に従って、前記用紙挿入機ユニット内の第１サブドキュメントのシートを第２サブドキュメントの印刷されたシートに併合し、
（ｄ４）ｎ番目の組の中断のポイントを決定し、
（ｄ５）中断ポイントの後の第１サブドキュメントの最初のシートを識別し、
（ｄ６）ステップ（ｄ５）において特定されたシートから始まる第１サブドキュメントのｎ番目の組の印刷されたシートを、前記第２プリンタの用紙挿入機ユニットに配置し、
（ｄ７）中断ポイントから始まる前記第２サブドキュメントのｎ番目の組を印刷するために、前記第２プリンタによる印刷プロセスを開始しつつ、既定の併合順序に従って、前記用紙挿入機ユニット内の前記第１サブドキュメントのｎ番目の組のシートを、前記第２サブドキュメントの印刷されたシートに併合することを含む、Ｎ組のドキュメントの印刷方法。
【請求項２】
前記ステップ（ｄ４）は、
（ｄ８）ステップ（ｄ１）において取り除かれ、既に印刷および併合されたｎ番目の組のシートを、用紙挿入機ユニットに配置し、
（ｄ９）前記用紙挿入機ユニットを通じて供給することによって、用紙挿入機ユニット内のシートをカウントし、
（ｄ１０）ステップ（ｄ９）のカウント結果に基づいて、ｎ番目の組の中断ポイントを決定することを含む請求項１記載のＮ組のドキュメントの印刷方法。
【請求項３】
ステップ（ｄ５）の後に、表示装置上に中断ポイントの後の前記第１サブドキュメントの最初のシートの画像を表示することをさらに含む請求項１または請求項２記載のＮ組のドキュメントの印刷方法。
【請求項４】
前記第１および第２サブドキュメントのうち、一方はカラーサブドキュメントであり、カラープリンタで印刷され、他方は白黒サブドキュメントであり、白黒プリンタで印刷される請求項１〜３のいずれか一項に記載のＮ組のドキュメントの印刷方法。
【請求項５】
第１サブドキュメントおよび第２サブドキュメントに分割されるソースドキュメントを、Ｎ（Ｎは自然数）組生成し、ここで、Ｎ組の第１サブドキュメントを第１プリンタで印刷する方法であって、
（ａ）前記第１サブドキュメントのＮ組の印刷されたシートを第２プリンタの用紙挿入機ユニットに配置するように指示するメッセージを表示し、
（ｂ）Ｎ組の前記第２サブドキュメントを印刷するために前記第２プリンタ上で印刷処理を開始しつつ、既定の併合順序に従って、前記第２サブドキュメントの印刷シートに、前記用紙挿入機ユニット中の第１サブドキュメントを併合し、
（ｃ）印刷ステップ（ｂ）において、前記第２サブドキュメントのｎ番目（ｎは自然数であり、ｎ≦Ｎ）の組の印刷の最中に中断が発生した場合、回復処理を実行し、
前記回復処理は、
（ｃ１）ｎ番目の組の既に印刷および併合されたシートを前記第２プリンタから取り除くようにユーザに指示するメッセージを表示し、
（ｃ２）前記第２サブドキュメントのｎ番目の組の残りの全シートを用紙挿入機ユニットから取り除くようにユーザに指示するメッセージを表示し、
（ｃ３）Ｎ−ｎ組の前記第２サブドキュメンを印刷するために前記第２プリンタ上で印刷処理を開始しつつ、既定の併合順序に従って、前記第２サブドキュメントの印刷されたシートを用紙挿入機ユニット中の第１サブドキュメントのシートと併合する
（ｃ４）ｎ番目の組の中断ポイントを決定し、
（ｃ５）中断ポイント後の前記第１サブドキュメントの最初のシートを識別し、
（ｃ６）ステップ（ｃ５）で識別されたシートから始まる前期第１サブドキュメントのｎ番目の組の印刷されたシートを、前記第２プリンタの用紙挿入機ユニットに配置するようにユーザに指示するメッセージを表示し、
（ｃ７）中断ポイントから始まる前記第２サブドキュメントのｎ番目の組を印刷するために、前記第２プリンタ上で印刷処理を開始しつつ、既定の併合順序に従って、前記用紙挿入機ユニット中の前記第１サブドキュメントのｎ番目の組のシートを、前記第２サブドキュメントの印刷されたシートと併合することを含むＮ組のドキュメント生成方法。
【請求項６】
ステップ（ｃ４）は、
（ｃ８）ｎ番目の組の既に印刷され併合されたシートを前記用紙挿入機ユニットに配置するように、ユーザに指示するメッセージを表示し、
（ｃ９）前記用紙挿入機ユニットを通じて供給することによって、前記用紙挿入機ユニット内のシートをカウントし、
（ｃ１０）ステップ（ｃ９）のカウント結果に基づいて、ｎ番目の組の中断ポイントを決定することを含む請求項５記載のＮ組のドキュメント生成方法。
【請求項７】
ステップ（ｃ６）は、表示装置上に中断ポイントの後の第１サブドキュメントの最初のシートの画像を表示することを含む請求項５または請求項６記載のＮ組のドキュメント生成方法。
【請求項８】
第１および第２サブドキュメントのうち、一方はカラーサブドキュメントであり、カラープリンタで印刷され、他方は白黒サブドキュメントであり、白黒プリンタで印刷される請求項５〜７のいずれか一項に記載のＮ組のドキュメント生成方法。
【請求項９】
第１サブドキュメントおよび第２サブドキュメントに分割されるソースドキュメントを、Ｎ（Ｎは自然数）組生成し、Ｎ組の第１サブドキュメントを第１プリンタで印刷する方法を、データ処理装置に実行させるように設定され、該データ処理装置を制御するためのコンピュータプログラムであって、当該方法は、
（ａ）前記第１サブドキュメントのＮ組の印刷されたシートを第２プリンタの用紙挿入機ユニットに配置するように指示するメッセージを表示し、
（ｂ）Ｎ組の前記第２サブドキュメントを印刷するために前記第２プリンタ上で印刷処理を開始しつつ、既定の併合順序に従って、前記第２サブドキュメントの印刷されたシートに、前記用紙挿入機ユニット中の第１サブドキュメントを併合し、
（ｃ）印刷ステップ（ｂ）において、前記第２サブドキュメントのｎ番目（ｎは自然数であり、ｎ≦Ｎ）の組の印刷の最中に中断が発生した場合、回復処理を実行し、
前記回復処理は、
（ｃ１）ｎ番目の組の既に印刷および併合されたシートを前記第２プリンタから取り除くようにユーザに指示するメッセージを表示し、
（ｃ２）前記第２サブドキュメントのｎ番目の組の残りの全シートを用紙挿入機ユニットから取り除くようにユーザに指示するメッセージを表示し、
（ｃ３）Ｎ−ｎ組の前記第２サブドキュメンを印刷するために前記第２プリンタ上で印刷処理を開始しつつ、既定の併合順序に従って、前記第２サブドキュメントの印刷されたシートを用紙挿入機ユニット中の第１サブドキュメントのシートと併合する
（ｃ４）ｎ番目の組の中断ポイントを決定し、
（ｃ５）中断ポイント後の前記第１サブドキュメントの最初のシートを識別し、
（ｃ６）ステップ（ｃ５）で識別されたシートから始まる前期第１サブドキュメントのｎ番目の組の印刷されたシートを、前記第２プリンタの用紙挿入機ユニットに配置するようにユーザに指示するメッセージを表示し、
（ｃ７）中断ポイントから始まる前記第２サブドキュメントのｎ番目の組を印刷するために、前記第２プリンタ上で印刷処理を開始しつつ、既定の併合順序に従って、前記用紙挿入機ユニット中の前記第１サブドキュメントのｎ番目の組のシートを、前記第２サブドキュメントの印刷されたシートと併合することを含むコンピュータプログラム。
【請求項１０】
ステップ（ｃ４）は、
（ｃ８）ｎ番目の組の既に印刷され併合されたシートを前記用紙挿入機ユニットに配置するように、ユーザに指示するメッセージを表示し、
（ｃ９）前記用紙挿入機ユニットを通じて供給することによって、前記用紙挿入機ユニット内のシートをカウントし、
（ｃ１０）ステップ（ｃ９）のカウント結果に基づいて、ｎ番目の組の中断ポイントを決定することを含む請求項９記載のコンピュータプログラム。
【請求項１１】
ステップ（ｃ６）は、表示装置上に中断ポイントの後の第１サブドキュメントの最初のシートの画像を表示することを含む請求項９または請求項１０記載のコンピュータプログラム。
【請求項１２】
請求項９〜１１のいずれか一項のコンピュータプログラムを格納するコンピュータ読み取り可能な記録媒体。
【請求項１３】
第１サブドキュメントおよび第２サブドキュメントに分割されるソースドキュメントを、Ｎ組（Ｎは自然数）印刷する方法であって、
（ａ）Ｎ組の前記第１サブドキュメントを第１プリンタにより印刷し、
（ｂ）Ｎ組の前記第１サブドキュメントの印刷されたシートを、第２プリンタの用紙挿入機ユニット内に配置し、
（ｃ）Ｎ組の前記第２サブドキュメントを印刷するために、前記第２プリンタによる印刷プロセスを開始しつつ、既定の併合順序に従って、前記用紙挿入機ユニット内の前記第１サブドキュメントのシートを前記第２サブドキュメントの印刷されたシートに併合し、
（ｄ）印刷ステップ（ｃ）において、前記第２サブドキュメントのｎ番目（ｎは自然数で、ｎ≦Ｎ）の組の印刷中に中断が発生した場合、回復処理を実行し、
前記回復処理は、
（ｄ１）すでに印刷され併合されたｎ番目の組のシートを、第２プリンタから取り除き、
（ｄ２）ｎ番目の組の第１サブドキュメントの全ての残りのシートを、前記用紙挿入機ユニットから取り除き、
（ｄ３）第２サブドキュメントのＮ−ｎの組を印刷するために、前記第２プリンタによる印刷プロセスを開始しつつ、既定の併合順序に従って、前記用紙挿入機ユニット内の第１サブドキュメントのシートを第２サブドキュメントの印刷されたシートに併合し、
（ｄ４）ステップ（ｄ３）においてＮ−ｎの組の印刷を終了した後、前記第２サブドキュメントのｎ番目の組を完成するために、前記第２プリンタによる印刷プロセスを開始しつつ、既定の併合順序に従って、前記用紙挿入機ユニット内の前記第１サブドキュメントのｎ番目の組のシートを、前記第２サブドキュメントの印刷されたシートに併合することを含む、Ｎ組のドキュメントの印刷方法。
【請求項１４】
ステップ（ｄ４）は、
（ｄ５）ステップ（ｄ１）において取り除かれ、既に印刷および併合されたｎ番目の組のシートを、用紙挿入機ユニットに配置し、
（ｄ６）前記用紙挿入機ユニットを通じて供給することによって、用紙挿入機ユニット内のシートをカウントし、
（ｄ７）ステップ（ｄ６）のカウント結果に基づいて、ｎ番目の組の中断ポイントを決定し、
（ｄ８）中断ポイントの後の第１サブドキュメントの最初のシートを識別し、
（ｄ９）ステップ（ｄ８）において特定されたシートから始まる第１サブドキュメントのｎ番目の組の印刷されたシートを、前記第２プリンタの用紙挿入機ユニットに配置し、
（ｄ１０）中断ポイントから始まる前記第２サブドキュメントのｎ番目の組を印刷するために、前記第２プリンタによる印刷プロセスを開始しつつ、既定の併合順序に従って、前記用紙挿入機ユニット内の前記第１サブドキュメントのｎ番目の組のシートを、前記第２サブドキュメントの印刷されたシートに併合することを含む請求項１３記載のＮ組のドキュメント生成方法。
【請求項１５】
前記第１および第２サブドキュメントのうち、一方はカラーサブドキュメントであり、カラープリンタで印刷され、他方は白黒サブドキュメントであり、白黒プリンタで印刷される請求項１２または請求項１３に記載のＮ組のドキュメントの印刷方法。
【手続補正２】
【補正対象書類名】明細書
【補正対象項目名】０００６
【補正方法】変更
【補正の内容】
【０００６】
具現され広く述べられる、これらおよび他の目的を達成するために、本発明は、第１サブドキュメントおよび第２サブドキュメントに分割されるソースドキュメントを、Ｎ組（Ｎは自然数）印刷する方法であって、（ａ）Ｎ組の第１サブドキュメントを第１プリンタにより印刷し、（ｂ）Ｎ組の第１サブドキュメントの印刷されたシートを、第２プリンタの用紙挿入機ユニット内に配置し、（ｃ）Ｎ組の第２サブドキュメントを印刷するために、第２プリンタによる印刷プロセスを開始しつつ、既定の併合順序に従って、用紙挿入機ユニット内の第１サブドキュメントのシートを第２サブドキュメントの印刷されたシートに併合し、（ｄ）印刷ステップ（ｃ）において、第２サブドキュメントのｎ番目（ｎは自然数で、ｎ≦Ｎ）組の印刷中に中断が発生した場合、回復処理を実行し、回復処理は、（ｄ１）すでに印刷され併合されたｎ番目の組のシートを、第２プリンタから取り除き、（ｄ２）ｎ番目の組の第１サブドキュメントの全ての残りのシートを、用紙挿入機ユニットから取り除き、（ｄ３）第２サブドキュメントのＮ−ｎの組を印刷するために、第２プリンタによる印刷プロセスを開始しつつ、既定の併合順序に従って、用紙挿入機ユニット内の第１サブドキュメントのシートを第２サブドキュメントの印刷されたシートに併合し、（ｄ４）ｎ番目の組の中断のポイントを決定し、（ｄ５）中断ポイントの後の第１サブドキュメントの最初のシートを識別し、（ｄ６）ステップ（ｄ５）において特定されたシートから始まる第１サブドキュメントのｎ番目の組の印刷されたシートを、第２プリンタの用紙挿入機ユニットに配置し、（ｄ７）中断ポイントから始まる第２サブドキュメントのｎ番目の組を印刷するために、第２プリンタによる印刷プロセスを開始しつつ、既定の併合順序に従って、用紙挿入機ユニット内の第１サブドキュメントのｎ番目の組のシートを、第２サブドキュメントの印刷されたシートに併合することを含む。
【手続補正３】
【補正対象書類名】明細書
【補正対象項目名】０００７
【補正方法】変更
【補正の内容】
【０００７】
他の態様では、本発明は、第１サブドキュメントおよび第２サブドキュメントに分割されるソースドキュメントを、Ｎ（Ｎは自然数）組生成し、Ｎ組の第１サブドキュメントを第１プリンタで印刷する方法であって、（ａ）第１サブドキュメントのＮ組の印刷されたシートを第２プリンタの用紙挿入機ユニットに配置するように指示するメッセージを表示し、（ｂ）Ｎ組の第２サブドキュメントを印刷するために第２プリンタ上で印刷処理を開始しつつ、既定の併合順序に従って、第２サブドキュメントの印刷されたシートに、用紙挿入機ユニット中の第１サブドキュメントを併合し、（ｃ）印刷ステップ（ｂ）において、第２サブドキュメントのｎ番目（ｎは自然数であり、ｎ≦Ｎ）の組の印刷の最中に中断が発生した場合、回復処理を実行し、回復処理は、（ｃ１）ｎ番目の組の既に印刷および併合されたシートを第２プリンタから取り除くようにユーザに指示するメッセージを表示し、（ｃ２）第２サブドキュメントのｎ番目の組の残りの全シートを用紙挿入機ユニットから取り除くようにユーザに指示するメッセージを表示し、（ｃ３）Ｎ−ｎ組の第２サブドキュメンを印刷するために第２プリンタ上で印刷処理を開始しつつ、既定の併合順序に従って、第２サブドキュメントの印刷されたシートを用紙挿入機ユニット中の第１サブドキュメントのシートと併合する（ｃ４）ｎ番目の組の中断ポイントを決定し、（ｃ５）中断ポイント後の第１サブドキュメントの最初のシートを識別し、（ｃ６）ステップ（ｃ５）で識別されたシートから始まる第１サブドキュメントのｎ番目の組の印刷されたシートを、第２プリンタの用紙挿入機ユニットに配置するようにユーザに指示するメッセージを表示し、（ｃ７）中断ポイントから始まる第２サブドキュメントのｎ番目の組を印刷するために、第２プリンタ上で印刷処理を開始しつつ、既定の併合順序に従って、用紙挿入機ユニット中の第１サブドキュメントのｎ番目の組のシートを、第２サブドキュメントの印刷されたシートと併合することを含む。